(57)【要約】【課題】  住宅が密集した火災現場では、火元に放水が届かず完全には延焼を防止できなかったり、放水で住宅が水浸しになったり破損したり、場合によっては延焼を防ぐために取壊されたり、山火事も住宅に火の粉等が甚大な影響を及ぼしたりする。【解決手段】  本発明は、脚体と、脚体から起立した矩形の枠体と、枠体の開口部に設けられた耐熱シートと、から延焼防止装置において、耐熱シートの上端近傍から下端近傍に渡り連続したスリットを複数設けたことを特徴とする延焼防止装置であり、切れ目の入った耐熱シートを住宅の周りや山火事の周囲にセットすることで、風を逃がし、水をかけることで火の粉等を防ぎ延焼を防止する装置である。【選択図】図１
2019058645.tif 000002
【特許請求の範囲】
【請求項１】
脚体と、脚体から起立した矩形の枠体と、枠体の開口部に設けられた耐熱シートとからなる延焼防止装置において、耐熱シートの上端近傍から下端近傍に渡り連続したスリットを複数設けたことを特徴とする延焼防止装置。
【請求項２】
前記脚体を載置する移動式台車を有することを特徴とする請求項１記載の延焼防止装置。
【請求項３】
前記移動式台車には、前記枠体の開口面と垂直方向に補助脚を設けたことを特徴とする請求項２記載の延焼防止装置。
【発明の詳細な説明】
【技術分野】
【０００１】  本発明は、建造物や山火事の延焼を防止する装置に関する。
【背景技術】
【０００２】  従来の技術の説明や延焼を防止する装置等と比べると、本発明の装置の方が非常時の対応が簡単にでき、機材や人員も最小限で組立てられる利点がある。
【先行技術文献】
【特許文献】
【０００３】
【特許文献１】特開平１０−１５０９８号公報
【特許文献２】特開２００１−３４０４７８号公報
【特許文献３】特開２００３−１９０３１０号公報
【発明の概要】
【発明が解決しようとする課題】
【０００４】  建物が密集した住宅地での火災現場において、火元周辺の隣家への延焼を防止する場合、火元建物に大量の放水をするか、隣家に放水し濡らすことで燃えにくくする。しかし場所により火元に放水が届かず完全に延焼を防止できない場合や、放水によって建物が水浸しになったり、破損してしまったり、不運にも火元の隣家であるだけで破壊されてしまうこともある。また山林火災（山火事等）も一旦発生すると、なかなか消化できずに広範囲に被害を及ぼすことがある。【０００５】  本発明は、上記の課題を解決し、非常時の際に木造住宅・文化財建築等の構造物・山の麓の住宅周辺に耐熱シートを設置することで延焼を防止する装置である。
【課題を解決するための手段】
【０００６】  本発明の装置では、耐熱シートに切れ目（スリット）が入っており、この切れ目が風を逃がし、更に長さのある切れ目シート面で火の粉や炎を防ぐことができる。【０００７】  基本的にこの装置は、耐熱シートを構造物の風上に設置するが、方法としては、固定式と移動式があり、どちらも平時には分解式なので省スペースで保管できる。
【発明の効果】
【０００８】  本発明が従来の装置と大きく違う点は、セットされた耐熱シートには複数の切れ目が入っており、この切れ目が強風時に風圧を受け流し、更に消防士もしくは住民がこの耐熱シートに放水することにより火の粉等で起こる延焼を防止することができる画期的な発明である。
【図面の簡単な説明】
【０００９】
【図１】実施例１（固定式延焼防止装置）の正面図
【図２】実施例２（移動式延焼防止装置）の正面図
【図３】実施例２の側面図
【図４】実施例３の正面図
【図５】実施例３の抜き取り機構を示す図
【図６】実施例４の正面図
【図７】実施例４の側面図
【図８】実施例４の平面図
【発明を実施するための形態】
【００１０】  本発明は、金属パイプを利用して長方形に組み立て、中央に縦方向に切れ目を入れた耐熱シートを固定し自立させる。
【００１１】  本発明の実施の形態を、図１〜８を用いて説明する。図１は予め決められた場所に固定するタイプの固定式延焼防止装置を、図２及び図３は移動式延焼防止装置を、図４及び図５は予め決められた場所以外に固定する固定式延焼防止装置を、図６乃至図８は転倒防止機構を有する移動式延焼防止装置を示している。
【００１２】  図１を使いながら本発明の概要を説明する。２本の縦枠部材１と横枠部材６と横枠部材７とを連結して、脚部を有する矩形（略長方形）の枠体を形成する。枠体の上部は縦枠部材１と横枠部材６とをＬ型補強部材８を介して連結し、枠体の下部では縦枠部材１と横枠部材７とをＴ型補強部材９を介して連結する。枠体下部の連結部より下方には縦枠部材１からなる脚部が形成される。縦枠部材１の下端部の脚部は、地中に埋め込まれた支柱受けベース３に挿入されることで、地面に固定される。前記枠体の開口面には耐熱シート２が横枠部材６と横枠部材７との間にかけ渡されている。耐熱シート２は上端部近傍から下端部近傍まで連続したスリット５が横方向に所定間隔をあけて複数設けてある。スリット５を設けることにより、風力を直接受けることなく、適度に逃がすことにより、強風に有効に対応することができる。また、スリット部以外のシート面では炎や火の粉を遮ることができるものである。
また、図２・図３は脚部をリヤカー状の移動式台車（重量用リヤカー１０）に乗せることで、自由に設置場所を移動可能としたものである。これにより、既存の家屋の周囲のみでなく、山火事等の発生場所に移動させて延焼防止装置として活用できるものである。
また、図４・図５は既設の支柱受けベース３以外の地面に直接枠体の脚部（鉄筋棒１５）を埋め込んで固定するものである。
また、図６・図７・図８は転倒防止機構を有する移動式延焼防止装置を示している。移動式台車２１の下部に枠体の開口面（耐熱シート面）と垂直方向にパイプからなる補助脚ガイド２２を設ける。補助脚ガイド２２に沿って補助脚２５が伸縮自在にあるいは出し入れ自在に設けられている。なお補助脚２５は移動式台車２１の一部として備え付けられるものであっても、又は現場で必要に応じて補助脚ガイド２２に取り付けるものであってもよい。補助脚２５は耐熱シート２のシート面と垂直方向に距離を置いて地面に接地することができるため、耐熱シート面に作用する風力に対抗する事ができ、延焼防止装置の転倒を防止することができる。
【００１３】  本発明は、耐火性材料部品のＳＵＳパイプとアルミパイプと耐熱シートを利用して製作されている。本発明には、固定式・移動式・山火事用（杭打ち式）がある。固定式は、構造物の横幅に対して、基本的には幅４ｍ高さ８ｍのこの装置を２組で１セットとし左右で２セット製作する。
【００１４】  支柱受けベース３として、構造物から６０ｃｍ離した所に、長さ１．５ｍで６７．３φのＳＵＳパイプを地表から５０ｃｍ出し、地中へ１ｍの深さにコンクリート巻き４し、左右２組を１セットとして横並びに２セット埋め込み固定する。
【００１５】  耐熱シート２は、菊池工業の片面有機系樹脂コーティングシリカクロス（ＪＩＳ  Ａ２３２３Ａ種合格）耐熱１０００度のシートを使用し、幅４ｍ長さ８ｍの耐熱シート２の横端から３０ｃｍ間隔で、上下端部分を１０ｃｍ残し、１４本の切れ目５（切れ目は解れないように、かがっておく）を入れる。
【００１６】  ６０φの上部アルミパイプ６と下部アルミパイプ７には、６７．３φのＳＵＳアルミアングル８・９を蝶ネジ留めできるように加工しておき、上端と下端を袋縫いした耐熱シート２に、加工した上下６０φのアルミパイプ６・７を差し込む。
【００１７】  耐熱シート２を差し込んだ上下６０φのアルミパイプ６・７と、支柱である６０φのＳＵＳパイプ１を６７．３φのＳＵＳアルミアングル（上部カド：Ｌ字型８・下部カド：Ｔ字型９）でそれぞれ２ヶ所ずつ蝶ネジで固定し四角形にする。
【００１８】  この四角形の支柱である６０φのＳＵＳパイプ１を、支柱受けベース３として地中に埋め込んである６７．３φのＳＵＳパイプに差し込み自立させて使用する。
【００１９】  移動式については、市販されている重量用リヤカー１０（東正車両  Ｈ３５００ＫＧ）スチール製を利用し、鋼管杭１１で固定し使用する。
【００２０】  重量用リヤカー１０の荷台に合わせて厚さ３ｍｍのステンレスで水槽１２（取外し可能）を製作し水を入れられるようにして、重石としても利用出きるようにする。水を満タンにすると１台当り５００ｋｇになる。
【００２１】  このステンレスの水槽１２の上部に蓋をするように、厚さ３ｍｍのパンチングメタル１３を被せ溶接する。
【００２２】  溶接したパンチングメタル１３の上部中央に三角柱の支柱受けベース１４も溶接する。
【００２３】  重量用リヤカー１０の水槽１２・パンチングメタル１３・三角柱受けベース１４は、それぞれ２台１組×２セット＝４台分製作・溶接する。
【００２４】  固定式で説明した耐熱シート２を差し込んで四角形にした６０φのＳＵＳパイプの支柱１を、三角柱の支柱受けベース１４に差し込み使用する。
【００２５】  山火事用は、長さ２ｍ  ２５φの先端を尖らせた鉄筋棒１５に、地上５０ｃｍのところに１５φ高さ３ｃｍのＳＵＳピンを溶接する。
【００２６】  １５φのＳＵＳピンを溶接した２５φの鉄筋棒１５を、横並びに２本  ２ヶ所を、地上に１ｍ残すように地中に１ｍハンマー等で打ち込み固定する。
【００２７】  長さ１．５ｍで３０φのＳＵＳパイプ１６の中央に２０φの穴を開けておく。
【００２８】  固定式で説明した耐熱シート２の支柱である６０φのＳＵＳパイプ１を２５φの鉄筋棒１５に上から被せるように差し込んで使用する。
【００２９】  本発明は、使用しない時はＳＵＳパイプ１・６・７を分解し、耐熱シート２を折りたたみ収納することができる。山火事が鎮火した後は、２５φの鉄筋棒１５に溶接した１５φのＳＵＳピンに３０φのＳＵＳパイプ１６を差し込み、テコの原理で傾けるようにして抜き取り撤収する。
【００３０】    図６乃至図８は転倒防止機構を有する移動式延焼防止装置を示している。本願延焼防止装置の基本である、脚体と、脚体から起立した矩形の枠体と、枠体の開口部に設けられた耐熱シートと、耐熱シートの上端近傍から下端近傍に渡り連続したスリットを複数設ける構造は、従前の説明と同様である、なお、図６においては、耐熱シートの上端近傍から下端近傍に渡り連続したスリット５の記載は省略している。移動式台車２１の下部に枠体の開口面と垂直方向に補助脚ガイド２２を設け、補助脚ガイド２２に沿って補助脚２５が伸縮自在に設けられている。補助脚２５は耐熱シート２のシート面と垂直方向に設けられるため、シート面に作用する風力に対抗する事ができ、延焼防止装置の転倒を防止することができる。また、移動式台車２１には水槽１２が設けられており消火用の水を貯めておくことができる。また、耐熱シート２は横枠部材６と横枠部材７との間にハンガー２３を介して取り付けられている。更には、ハンガー２３には引き紐２４が結び付けられており、引き紐２４を引くことで、耐熱シート２は窓用のカーテンのように片側に引き寄せることができる。これにより、強風等で転倒の恐れがある場合は、風の通り道となる開口部を作り出して対応することができるものである。
【符号の説明】
【００３１】１  縦枠部材（６０φＳＵＳパイプ）
２  耐熱シート
３  支柱受けベース
４  コンクリート巻き
５  スリット（切れ目）
６  横枠部材（上部６０φアルミパイプ）
７  横枠部材（下部６０φアルミパイプ）
８  Ｌ型補強部材
９  Ｔ型補強部材
１０  重量用リヤカー（移動式台車）
１１  鋼管杭固定
１２  ステンレス水槽
１３  パンチングメタル張り
１４  三角柱の支柱受けベース
１５  ２５φ鉄筋棒
１６  ３０φＳＵＳパイプ
２１  移動式台車
２２  補助脚ガイド
２３  ハンガー
２４  引き紐
２５  補助脚
【図１】
2019058645.tif 000003
【図２】
2019058645.tif 000004
【図３】
2019058645.tif 000005
【図４】
2019058645.tif 000006
【図５】
2019058645.tif 000007
【図６】
2019058645.tif 000008
【図７】
2019058645.tif 000009
【図８】
2019058645.tif 000010